(57)【要約】【課題】照明器具側の取付孔を利用して取り付けることができるとともに設置作業性を向上できるランプ装置および照明器具を提供する。【解決手段】ランプ装置12は、長手状のランプ本体19を備える。ランプ本体19の端部に支持部27を取り付ける。支持部27は、係合部28を回転可能に支持する。係合部28は、照明器具側の取付孔に差し込まれて係合する。【選択図】図１
2014157682.tif 000002
【特許請求の範囲】
【請求項１】
長手状のランプ本体と；
照明器具側の取付孔に差し込まれて係合する係合部と；
ランプ本体の端部に取り付けられ、係合部を回転可能に支持した支持部と；
を具備していることを特徴とするランプ装置。
【請求項２】
係合部がランプ本体の長手方向に沿った回転位置でその係合部を支持部に対して仮止めする仮止め手段を具備している
ことを特徴とする請求項１記載のランプ装置。
【請求項３】
係合部がランプ本体の長手方向に沿った回転位置で取付孔に対する係合部の着脱を可能とするとともに、係合部がランプ本体の長手方向に対して交差する回転位置で取付孔に対して係合部の脱落を規制する規制手段を具備している
ことを特徴とする請求項１または２記載のランプ装置。
【請求項４】
取付孔を有する器具本体と；
請求項１ないし３いずれか一記載のランプ装置と；
を具備していることを特徴とする照明器具。
【発明の詳細な説明】
【技術分野】
【０００１】
本発明の実施形態は、器具本体の取付孔を利用して取り付けられるランプ装置および照明器具に関する。
【背景技術】
【０００２】
一般に、オフィスなどの天井面には直管形蛍光ランプを用いた照明器具が多く設置されているが、このような既設の照明器具に、直管形蛍光ランプに代えて、光源としてＬＥＤ素子を有するランプ装置を用いることが提案されている。
【０００３】
このランプ装置では、既設の照明器具の器具本体からソケットを外して開口されたソケット用の取付孔を利用して、器具本体に取り付けるようにしている。これは、ランプ装置の上面の長手方向両端近傍に取り付けた引掛金具を器具本体の両端の取付孔に差し込み、各取付孔の縁部に予め取り付けておいたＬ形金具に引掛金具を引っ掛けることにより、ランプ装置を器具本体に取り付けるようにしている。
【先行技術文献】
【特許文献】
【０００４】
【特許文献１】特開２０１２−２４８４１１号公報
【発明の概要】
【発明が解決しようとする課題】
【０００５】
しかしながら、ランプ装置を設置する際には、作業者が脚立などに登り、ランプ装置を水平状態に保ちながら、このランプ装置の長手方向の両端の引掛金具を器具本体の取付孔の位置に合わせるとともに略同時に差し込んで引っ掛けなければならず、設置作業性がよいものではなかった。
【０００６】
本発明が解決しようとする課題は、照明器具側の取付孔を利用して取り付けることができるとともに設置作業性を向上できるランプ装置および照明器具を提供することである。
【課題を解決するための手段】
【０００７】
実施形態のランプ装置は、長手状のランプ本体を備える。ランプ本体の端部に支持部を取り付ける。支持部は、係合部を回転可能に支持する。係合部は、照明器具側の取付孔に差し込まれて係合する。
【発明の効果】
【０００８】
本発明によれば、照明器具側の取付孔に差し込まれて係合する係合部によってランプ装置を取り付けることができるとともに、係合部を回転可能とすることによってランプ装置の設置作業性が向上することが期待できる。
【図面の簡単な説明】
【０００９】
【図１】一実施形態を示すランプ装置の係合部が取付位置に回転した状態の斜視図である。
【図２】同上ランプ装置の係合部が着脱位置に回転した状態の斜視図である。
【図３】同上ランプ装置の係合部が収納位置に回転した状態の斜視図である。
【図４】同上ランプ装置の断面図である。
【図５】同上係合部の斜視図である。
【図６】同上ランプ装置の端面図である。
【図７】同上ランプ装置を用いた照明器具の正面部である。
【図８】同上ランプ装置の取付方法を示す斜視図である。
【図９】同上ランプ装置の図８に続く取付方法を示す斜視図である。
【図１０】同上ランプ装置の図９に続く取付方法を示す斜視図である。
【図１１】同上ランプ装置の図１０に続く取付方法を示す斜視図である。
【発明を実施するための形態】
【００１０】
以下、一実施形態を、図１ないし図１１を参照して説明する。
【００１１】
図７に照明器具を示す。照明器具10は、器具本体11、この器具本体11の下側に取り付けられたランプ装置12、および器具本体11内に配置されてランプ装置12に接続された電源装置13を備えている。
【００１２】
照明器具10は、例えばオフィスなどの天井面に設置されている直管形蛍光ランプ対応照明器具をリニューアルしたものであり、既設の器具本体11はそのまま用いられ、器具本体11からソケットや点灯装置などが取り外される。器具本体11は、例えば長手状に形成され、両端にはソケットが取り外されることでソケット用の四角形状の取付孔11a（図８参照）が開口されている。
【００１３】
そして、ランプ装置12は、長手状であって直管形蛍光ランプと同様に直管形に形成されている。図４に示すように、ランプ装置12は、発光モジュール16、発光モジュール16を取り付けたフレーム17、発光モジュール16およびフレーム17を収納した円筒状のカバー18を含むランプ本体19を備え、さらに、図７に示すように、ランプ本体19の一端に取り付けられた第１の取付手段20、およびランプ本体19の他端に取り付けられた第２の取付手段21を備えている。
【００１４】
また、図４に示すように、発光モジュール16は、ＬＥＤ素子やＥＬ素子などの複数の発光素子23、および複数の発光素子23が実装された基板24を備えている。
【００１５】
また、フレーム17は、例えばアルミニウムなどの金属製で、発光素子23が実装された面とは反対となる裏面側が接するように基板24が取り付けられている。
【００１６】
また、カバー18は、円筒状で、端部から内部に挿入されるフレーム17を支持して、内部の所定位置に発光モジュール16を収納しており、少なくとも発光モジュール16からの光照射方向に透光性を有している。
【００１７】
また、図１ないし図４に示すように、第１の取付手段20は、取付孔11aを利用して器具本体11に着脱可能に取り付けるものであり、カバー18の端部に取り付けられる支持部27、およびこの支持部27に回転可能に支持された係合部28を有している。
【００１８】
支持部27は、例えば金属や樹脂などの材料で２分割形成された一対の分割部材30を有し、これら分割部材30が組み合わされた状態で複数のボス部31を通じて例えばねじとナットなどの連結具で一体に連結固定されている。
【００１９】
支持部27にはカバー18の端部を嵌合する円筒状の嵌合部32が形成され、ねじ33を支持部27側からカバー18内のフレーム17に螺着して締め付けることによって、カバー18と支持部27とが互いに固定されている。フレーム17はカバー18の中心からずれた位置に配置されているため、互いに固定することによってカバー18と支持部27との管軸を中心とする回転方向の位置が位置決めされる。
【００２０】
支持部27の嵌合部32とは反対側となる支持部27の外端面27aから、カバー18からの光照射方向とは反対側となる取付面27bに亘って開口するように、窪み部34が形成されている。窪み部34内には、１つのボス部31と共用されていて係合部28を回転可能に支持する軸部35が貫通配置されている。外端面27a側において、軸部35と直交する窪み部34の内壁面の中央に、仮止め手段36を構成する突起37が突設されている。取付面27b側において、窪み部34内の中央に、規制手段38を構成する規制部39が突設されている。規制部39は、軸部35の周面と対向するようにアーム状に形成されている。さらに、窪み部34内には、カバー18の端面を閉塞するとともにフレーム17に螺着するねじ33を取り付ける端板部40などが設けられている。
【００２１】
図１ないし図６に示すように、係合部28は、支持部27の窪み部34に軸部35を中心として回転可能に配置され、支持部27の外端面27aから略垂直に突出する着脱位置（図２参照）、支持部27の取付面27bから略垂直に突出する取付位置（図１参照）、および窪み部34内に収納された収納位置（図３参照）に回転可能としている。すなわち、係合部28は、着脱位置と収納位置との間で回転可能としている。
【００２２】
係合部28は、ばね性を有する金属板材料によって形成されており、軸部35に回転可能に取り付けられる軸受部42、この軸受部42から延設された支持片部43、この支持片部43の両側から折曲された一対の係合片部44、および支持片部43の先端から折曲された仮止め手段36を構成する保持片部45を有している。
【００２３】
一対の係合片部44は、支持片部43から立ち上げられた立上部46、立上部46の先端から立上部46の外側でかつ立上部46の先端とは反対側へ向って斜めに折曲された導入部47、導入部47から立上部46の外側面へ向って折曲された引掛り部48、および引掛り部48から立上部46の基端側へ向って折曲された先端部49を有している。したがって、立上部46と導入部47と引掛り部48とで略三角形状となるように形成されている。一対の係合片部44の立上部46の基端側には、立上部46間の間隔が狭まるように互いに湾曲突出する作用部50が形成されている。そして、一対の係合片部44の立上部46の先端間の間隔は取付孔11aの幅より小さく、一対の係合片部44の引掛り部48間の間隔および先端部49間の間隔は取付孔11aの幅より広い関係を有している。
【００２４】
保持片部45は、支持片部43から立ち上げられるとともに先端が支持片部43に対向するように湾曲されており、支持部27の突起37に係合可能とする。
【００２５】
また、第２の取付手段21は、第１の取付手段20の構成とは異なるが、ばね性を有する係合部材を利用して器具本体11の取付孔11aに取り付けるようにしてもよいし、あるいは磁石やねじなどで器具本体11に着脱可能に取り付けるようにしてもよい。
【００２６】
また、電源装置13は、交流電力を所定の直流電力に変換してランプ装置12の発光モジュール16に供給する。電源装置13とランプ装置12とは、コネクタ付ケーブルによって接続される。ランプ装置12には、例えば、第２の取付手段21側に発光モジュール16と接続されたコネクタを配置し、このコネクタに電源装置13側からのコネクタ付ケーブルを接続するようにする。
【００２７】
そして、このように構成されたランプ装置12を天井面などに設置されている照明器具10に取り付けるには、図２、図４および図８に示すように、第１の取付手段20の係合部28を支持部27の外端面27aから略垂直に突出する着脱位置に回転させる。このとき、係合部28の保持片部45が支持部27の突起37を乗り越えてその突起37に係合し、係合部28が着脱位置に仮止めされる。
【００２８】
図８および図９に示すように、ランプ装置12の一端側である第１の取付手段20側を上方へ向けて立てた状態で、支持部27の外端面27aから突出する係合部28を器具本体11の取付孔11aに下方から差し込む。差し込む際には、一対の係合片部44の立上部46の先端が取付孔11aに挿入された後、一対の係合片部44の導入部47が取付孔11aの縁部に当接し、一対の係合片部44の間隔が狭まるように弾性変形しながら取付孔11aに差し込まれ、一対の係合片部44の導入部47が取付孔11aの縁部より上方に差し込まれると、弾性によって一対の係合片部44の間隔が広がり、一対の係合片部44の引掛り部48が取付孔11aの縁部上すなわち器具本体11の裏面上に移動するとともに、一対の係合片部44の先端部49が取付孔11aの縁部に当接して一対の係合片部44の間隔が広がるのが阻止される。
【００２９】
係合部28を器具本体11の取付孔11aに差し込んで連結した状態では、一対の係合片部44の引掛り部48が器具本体11の裏面に引っ掛かるため、ランプ装置12を無理に強く引き下げるような力を加えない限り、ランプ装置12から手を離しても、ランプ装置12の自重程度では器具本体11に引っ掛かった連結状態が維持される。
【００３０】
ここまでの作業は、作業者が脚立などに登らなくても、床面上に立つ作業者によって容易に作業できる。
【００３１】
なお、器具本体11に設けられた取付孔11aは、器具本体11の内部に配設された取付金具等の部材に設けられたものであってもよく、この場合には、取付孔11aと対向するように器具本体11に別途開口部が設けられて、この開口部を介して取付孔11aへ係合部28が差し込まれる態様であってもよい。
【００３２】
続いて、図１０に示すように、器具本体11に連結されたランプ装置12の第１の取付手段20側を支点としてランプ装置12の他端側である第２の取付手段21側を上方の器具本体11側に回転させる。このとき、第１の取付手段20側では、係合部28の保持片部45が支持部27の突起37を乗り越えてその突起37から外れ、係合部28の着脱位置での仮止めが解除される。そのため、ランプ装置12は、器具本体11に連結された係合部28に対して支持部27の軸部35を中心として回転する。
【００３３】
図１１に示すように、ランプ装置12が器具本体11と平行となる位置までランプ装置12の他端側を回転させると、係合部28が支持部27に対して取付位置に相対的に回転することになる。係合部28が取付位置に回転する際、図１および図６に示すように、一対の係合片部44の立上部46の先端側から作用部50間に規制部39が差し込まれ、一対の係合片部44の作用部50間の間隔を押し広げる。これにより、一対の係合片部44の間隔が広がる方向への付勢力を増強するとともに、一対の係合片部44の間隔が狭まるのを規制し、一対の係合片部44の引掛り部48が器具本体11の裏面から外れるのを規制する。
【００３４】
第２の取付手段21によってランプ装置12の他端側を器具本体11に取り付け、電源装置13からのコネクタ付ケーブルをランプ装置12に接続する。
【００３５】
このように、第１の取付手段20および第２の取付手段21によってランプ装置12を器具本体11に取り付けることができる。
【００３６】
また、ランプ装置12を器具本体11から外す場合には、取付時とは逆の作業によって外すことができる。すなわち、ランプ装置12からコネクタケーブルを外し、第２の取付手段21を器具本体11から外し、ランプ装置12の一端側である第１の取付手段20側を支点としてランプ装置12の他端側を下方に回転させる。
【００３７】
図９に示すように、ランプ装置12が器具本体11から垂下する位置までランプ装置12の他端側を回転させると、ランプ装置12が自重によって垂下した状態となり、係合部28が支持部27に対して着脱位置に相対的に回転することになる。係合部28が着脱位置に回転することで、一対の係合片部44の作用部50間に差し込まれていた規制部39が外れるが、一対の係合片部44の引掛り部48が器具本体11の裏面に引っ掛かっているため、ランプ装置12から手を離しても、ランプ装置12の係合部28が器具本体11に引っ掛かった状態が維持される。
【００３８】
係合部28が支持部27に対して着脱位置に相対的に回転することで、支持部27と器具本体と11の間に指が入るスペースが形成される。そのスペースを通じて指で一対の係合片部44の立上部46を摘んで間隔を狭めることにより、一対の係合片部44の引掛り部48が器具本体11の裏面から外れ、一対の係合片部44を取付孔11aから下方へ抜き外すことができる。
【００３９】
また、ランプ装置12の輸送時や未使用時には、図３に示すように、係合部28を支持部27の窪み部34内に収納する。これにより、係合部28が支持部27から出っ張らず、かさばらなくなるとともに、係合部28が外力を受けて変形するのを防止できる。
【００４０】
このように構成されたランプ装置12では、照明器具10側の取付孔11aに差し込まれて係合する係合部28によってランプ装置12を取り付けることができるとともに、係合部28を回転可能とすることによってランプ装置12の設置作業性を向上させることができる。
【００４１】
また、係合部28がランプ本体19の長手方向に沿った回転位置（着脱位置）でその係合部28を支持部27に対して仮止めする仮止め手段36を備えるため、係合部28を照明器具11側の取付孔11aに係合する際に、係合部28が動いて作業しにくくなるのを防止できる。
【００４２】
また、係合部28がランプ本体19の長手方向に沿った回転位置（着脱位置）で取付孔11aに対する係合部28の着脱を可能とするとともに、係合部28がランプ本体19の長手方向に対して交差する回転位置（取付位置）で取付孔11aに対して係合部28の脱落を規制する規制手段38を備えるため、器具本体11に装着したランプ装置12が外れるのを防止できる。
【００４３】
なお、係合部28の回転範囲は、少なくとも着脱位置と取付位置との間に回転可能であれば、収納位置に回転しなくてもよい。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
10    照明器具
11    器具本体
11a   取付孔
12    ランプ装置
19    ランプ本体
27    支持部
28    係合部
36    仮止め手段
38    規制手段
【図１】
2014157682.tif 000003
【図２】
2014157682.tif 000004
【図３】
2014157682.tif 000005
【図４】
2014157682.tif 000006
【図５】
2014157682.tif 000007
【図６】
2014157682.tif 000008
【図７】
2014157682.tif 000009
【図８】
2014157682.tif 000010
【図９】
2014157682.tif 000011
【図１０】
2014157682.tif 000012
【図１１】
2014157682.tif 000013